(57)【要約】  摺動部材が含まれたコンピュータ用マウスに係り、摺動部材が容易に磨耗されず、長期間使用することができるように、摺動部材を、ロッド状からなる摺動棒によって形成してマウス本体内に収納し、下端部が、マウス本体の底面に突き出るようにし、それに付け加えて、摺動棒を底面に突き出させるのに使われるスクリュードライバを、コンピュータ用マウスと共に保管することができる。
2013528862.tif 000002
【特許請求の範囲】
【請求項１】
摺動部材が含まれたコンピュータ用マウスにおいて、
前記摺動部材（２０）は、ロッド状からなる摺動棒（２１）であり、コンピュータ用マウス本体（１０）の底面（１０ａ）から上方向に収納用パイプ（１１）が形成され、前記収納用パイプ（１１）内に前記摺動棒（２１）が収納され、前記摺動棒（２１）の下端部は前記底面（１０ａ）に突き出るように構成されることを特徴とするコンピュータ用マウス（３０）。
【請求項２】
前記収納用パイプ（１１）の内周面にはねじ部（１１ａ）が形成され、前記摺動棒（２１）の上端面にはスクリュードライバ用溝（２１ａ）が形成され、前記摺動棒（２１）の外周面にはねじ部（２１ｂ）が形成され、前記ねじ部（２１ｂ）は前記収納用パイプ（１１）の内周面に形成されたねじ部（１１ａ）と互いに結合されることを特徴とする請求項１に記載のコンピュータ用マウス（３０）。
【請求項３】
前記摺動棒（２１）の上部に、前記収納用パイプ（１１）の内周面に形成されたねじ部（１１ａ）から、前記摺動棒（２１）が離脱することを防止する離脱防止用固定ねじ（２２）が結合されることを特徴とする請求項２に記載のコンピュータ用マウス（３０）。
【請求項４】
前記収納用パイプ（１１）の内周面にはねじ部（１１ａ）が形成され、前記ねじ部（１１ａ）の下部には枠部（１１ｂ）が形成され、前記摺動棒（２１）は上部側方向に突出部（２１ｃ）が設けられ、前記突出部（２１ｃ）の下部と前記枠部（１１ｂ）上部との間にスプリング（２３）が挿入され、前記摺動棒（２１）の上部に前記収納用パイプ（１１）の内周面に形成されたねじ部（１１ａ）から前記摺動棒（２１）が離脱することを防止する離脱防止用固定ねじ（２２）が結合され、前記摺動棒（２１）の横断面は楕円形に形成され、かつ前記底面（１０ａ）に形成される前記収納用パイプ（１１）の孔（１１ｃ）は楕円形に形成されることを特徴とする請求項１に記載のコンピュータ用マウス（３０）。
【請求項５】
前記摺動棒（２１）の横断面は楕円形に形成され、前記摺動棒（２１）の外部面には長手方向に目盛り（２１ｄ）が表示されることを特徴とする請求項１に記載のコンピュータ用マウス（３０）。
【請求項６】
前記コンピュータ用マウス本体（１０）にスクリュードライバ（２４）を収納する収納溝（１２）が形成され、前記収納溝（１２）に前記スクリュードライバ（２４）が収納されることを特徴とする請求項１に記載のコンピュータ用マウス（３０）。
【請求項７】
前記マウス本体（１０）に連結されたケーブル（１３）にスクリュードライバ（２４）を収納する収納ケース（１４）が結束され、前記収納ケース（１４）に前記スクリュードライバ（２４）が収納されることを特徴とする請求項１に記載のコンピュータ用マウス（３０）。
【発明の詳細な説明】
【技術分野】
【０００１】
本発明は、摺動部材が含まれたコンピュータ用マウスに関する。
【背景技術】
【０００２】
コンピュータ用マウスに含まれる摺動部材は、マウス本体の底面と、マウスパッドとの摩擦を減らすために使われ、これに係わる従来技術として、特許文献１があり、該従来技術は、図１で図示されているように、マウス本体４の底面１に設けられた浅い溝２に薄板材３状の摺動部材が接着剤で付着されており、容易に磨耗されてしまう。
【先行技術文献】
【特許文献】
【０００３】
【特許文献１】実登３１４３９３５号公報（２００８．０８．０７．）
【発明の概要】
【発明が解決しようとする課題】
【０００４】
本発明は、長期間使用可能な摺動部材が含まれたコンピュータ用マウスを提供するところにある。
【課題を解決するための手段】
【０００５】
本発明の一具現例は、コンピュータ用マウスに含まれる摺動部材を、ロッド状からなる摺動棒によって形成してマウス本体内に収納し、下端部がマウス本体の底面に突き出る技術を提供する。
【０００６】
本発明の他の一具現例は、コンピュータ用マウスに含まれる摺動棒を螺合方式でマウス本体内に収納し、下端部をマウス本体の底面に突き出させるのに使われるスクリュードライバをコンピュータ用マウスと共に保管することができる技術を提供する。
【発明の効果】
【０００７】
本発明の一具現例によるコンピュータ用マウスは、摺動部材が長期間使用可能な摺動ロッド状で形成し、従来に比べて、はるかに長い間使用可能であり、摺動棒が全く磨耗されれば、摺動棒のみ続けて入れ替ればよいので、マウスを新たに購入する必要がなく、非常に経済的である。
【０００８】
また、本発明の他の一具現例によるコンピュータ用マウスは、摺動棒をマウス本体の底面に突き出させるのに必要なスクリュードライバが、コンピュータ用マウスに保管され、必要な場合、いつでも使用することができて非常に便利である。
【図面の簡単な説明】
【０００９】
【図１】従来技術を図示した部分拡大断面図である。
【図２】本発明の一具現例による、摺動部材がコンピュータ用マウス本体内に収納された実施形態１による拡大部分断面図である。
【図３】本発明の一具現例の実施形態２による拡大部分断面図である。
【図４】図３の底面を示した部分拡大図面である。
【図５】本発明の他の一具現例によるスクリュードライバの保管に係わる実施形態１による構成図である。
【図６】本発明の他の一具現例によるスクリュードライバ保管に係わる実施形態２による使用状態図である。
【発明を実施するための形態】
【００１０】
以下、本発明の具現例について詳細に説明する。ただし、それらは例示的に提示されるものであり、それによって本発明が制限されるものではなく、本発明は、後述する特許請求の範囲によって定義されるのである。
【００１１】
本発明の一具現例として、図２ないし図４に図示されているように、コンピュータ用マウス３０には、摺動部材２０が含まれ、前記摺動部材２０は、ロッド状からなる摺動棒２１であり、コンピュータ用マウス３０の本体１０の底面１０ａから上方向に、収納用パイプ１１が形成され、前記収納用パイプ１１内に、前記摺動棒２１が収納され、下端部は、底面１０ａに突き出るように構成される。
【００１２】
前記収納用パイプ１１の内周面には、ねじ部１１ａが形成され、前記摺動棒２１の上端面には、スクリュードライバ用溝２１ａが形成され、その外周面には、ねじ部２１ｂが形成され、前記収納用パイプ１１の内周面に形成されたねじ部１１ａと互いに結合される。
【００１３】
前記摺動棒２１の上部に、前記収納用パイプ１１の内周面に形成されたねじ部１１ａから、前記摺動棒２１が離脱することを防止する離脱防止用固定ねじ２２がさらに結合されてもよい。
【００１４】
前記摺動棒２１の外部面の長手方向に、目盛り２１ｄが表示されてもよい。
【００１５】
前記収納用パイプ１１の内周面には、ねじ部１１ａが形成され、前記ねじ部１１ａの下部には、枠部１１ｂが形成され、前記摺動棒２１は、上部側方向に突出部２１ｃが設けられ、前記突出部２１ｃの下部と、前記枠部１１ｂ上部との間に、スプリング２３が挿入され、前記摺動棒２１の上部に、前記収納用パイプ１１の内周面に形成されたねじ部１１ａから、前記摺動棒２１が離脱することを防止する離脱防止用固定ねじ２２が結合され、前記摺動棒２１の横断面と、前記底面１０ａに形成される前記収納用パイプ１１の孔１１ｃは、楕円形に形成されもする。
【００１６】
前記摺動棒２１の横断面は、楕円形に形成され、外部面の長手方向に、目盛り２１ｄが表示されもする。
【００１７】
本発明の他の一具現例として、図５及び図６で図示されているように、前記コンピュータ用マウス本体１０、にスクリュードライバ２４を収納する収納溝１２が形成され、前記収納溝１２に、スクリュードライバ２４が収納されたり、あるいはマウス本体１０に連結されたケーブル１３に、スクリュードライバ２４を収納する収納ケース１４が結束され、前記収納ケース１４に、スクリュードライバ２４が収納される。
図面で、説明されていない符号１０ｂは、覆いであり、図面で、説明されていない符号１５は、ＵＳＢコネクタである。
【産業上の利用可能性】
【００１８】
本発明は、摺動部材が含まれたコンピュータ用マウスに利用される。
【図１】
2013528862.tif 000003
【図２】
2013528862.tif 000004
【図３】
2013528862.tif 000005
【図４】
2013528862.tif 000006
【図５】
2013528862.tif 000007
【図６】
2013528862.tif 000008
【国際調査報告】
2013528862.tif 000009
2013528862.tif 000010
2013528862.tif 000011
2013528862.tif 000012